(57)【特許請求の範囲】
【請求項１】
天板の開口を開閉する蓋体を有する配線ボックスであって、前記開口内部において一端が回動自在に軸支された回転アームの他端に前記蓋体を回動自在に軸支し、当該回転アームの回動により前記天板の開口内部において前記蓋体が略垂直状態を保持した状態で昇降し、かつ前記天板の開口面において前記蓋体の回動により前記開口を閉口して天板面と蓋体面とが均一面を形成することを特徴とする、配線ボックス。
【請求項２】
請求項１に記載の配線ボックスにおいて、前記蓋体にスライドピンを設けるとともに、前記配線ボックスに前記スライドピンが連係するスライド溝を設け、当該スライド溝は、前記蓋体の昇降に伴い前記蓋体を略垂直状態に保持するスライド溝と、前記開口面において前記蓋体を回転させる方向に案内するスライド溝とが、連続して形成される溝であることを特徴とする、配線ボックス。
【請求項３】
請求項１または２の何れかに記載の配線ボックスの取付方法であって、天板の下面における前記開口の周囲に複数の取付孔を設けるとともに前記配線ボックスの周囲に複数の取付金具を設け、かつ、蓋体面から前記取付金具までの高さと天板面と前記取付孔までの高さとが略等しいことにより、配線ボックスを開口の下方から取り付けた際に天板面と蓋体面とが均一面を形成することを特徴とする、配線ボックスの取付方法。
【発明の詳細な説明】
【技術分野】
【０００１】
天板の開口を開閉する蓋体を有する配線ボックスおよびその取付方法に関する。
【背景技術】
【０００２】
テーブルの天板を上下に貫通する配線用の開口を開閉する蓋体を有する配線ボックスが知られている。このような配線ボックスは天板の下面に取り付けられ、配線ボックスの下部ダクトにコンセントなどの電源やＬＡＮケーブルなどを収納することが可能である。そして、天板上でノートＰＣなどを用いて作業する際に、天板の開口を介して天板下面のダクトに収納されたコンセント等を使用する構成である。
【０００３】
また、前記配線ボックスの蓋体は、前記開口を閉口する状態と開口する状態とで選択的に開閉自在に構成されており、特に、開口を開口した状態では、前記蓋体が、配線ボックスの内部に収納される構成である（例えば、特許文献１）。
【０００４】
このような、配線ボックスは、天板の上方から開口に落とし込む構成であり、配線ボックスの周囲に形成されたフランジが開口の縁に引っかかることで、配線ボックスの蓋体とテーブル天板面との高さ方向の位置決めを行う構成である。
【０００５】
この場合、配線ボックスの位置決めを容易に行うことができる反面、天板面に配線ボックス周囲のフランジが突出してしまい、天板面をフラットに使用することができないといった欠点がある（例えば、特許文献２）。そこで、開口の周囲に、配線ボックスのフランジ分の段差を設けることが考えられるが、天板の開口周囲の成型が複雑になり余分なコストが生じてしまう恐れがある（例えば、特許文献３）。
【０００６】
このため、天板面をフラットに使用すべく、フランジ等の掛止部材を用いずに配線ボックスを開口の下方から挿入する方法が考えられるが、このときに問題となるのが、厚みの異なる天板を使用した場合、どのようにして配線ボックスの蓋体の上面を、天板面と面一にするかということである。
【０００７】
すなわち、テーブルの種類によって天板の厚みが異なる一方で、配線ボックスの蓋体と取付金具との高さが一定のため、天板の厚みに合わせて配線ボックスの取付金具の高さを変える必要がある。或いは、それぞれの天板厚に対応した調整機構をもった取付金具にする方法があるが、取付工程に手間が生じる、部品の品揃えやコストの面で問題があるといった欠点があった。
【０００８】
【特許文献１】特開２００９−２４０４７９号公報
【特許文献２】特開２０１０−１２５２１３号公報
【特許文献３】特開２００１−１６１４４９号公報
【発明の概要】
【発明が解決しようとする課題】
【０００９】
本発明は、天板の開口を開閉する蓋体を有する配線ボックスに関し、簡単な構成により、配線ボックスの蓋体と天板面とがフラットな均一面を形成し、かつ、厚みの異なる天板であっても、配線ボックス取付時の位置決めを容易に行うことが可能な配線ボックスおよびその取付方法を提供することを課題とする。
【課題を解決するための手段】
【００１０】
上記課題を解決すべく、本発明の請求項１に記載の発明は、天板の開口を開閉する蓋体を有する配線ボックスであって、前記開口内部において一端が回動自在に軸支された回転アームの他端に前記蓋体を回動自在に軸支し、当該回転アームの回動により前記天板の開口内部において前記蓋体が略垂直状態を保持した状態で昇降し、かつ前記天板の開口面において前記蓋体の回動により前記開口を閉口して天板面と蓋体面とが均一面を形成することを特徴とする、配線ボックスである。
【００１１】
当該構成によれば、回転アームの回動により天板の開口内部において前記蓋体が略垂直状態を保持した状態で昇降し、かつ天板の開口面において蓋体の回動により開口を閉口する簡単な構成により、配線ボックスの蓋体と天板面とがフラットな均一面を形成することが可能な配線ボックスを提供することが可能である。
【００１２】
また、請求項２記載の発明は、請求項１に記載の配線ボックスにおいて、前記蓋体にスライドピンを設けるとともに、前記配線ボックスに前記スライドピンが連係するスライド溝を設け、当該スライド溝は、前記蓋体の昇降に伴い前記蓋体を略垂直状態に保持するスライド溝と、前記開口面において前記蓋体を回転させる方向に案内するスライド溝とが、連続して形成される溝であることを特徴とする、配線ボックスである。
【００１３】
当該構成によれば、蓋体の昇降に伴い蓋体を略垂直状態に保持するスライド溝と、開口面において蓋体を回転させる方向に案内するスライド溝とが連続して形成される簡単な構成により、天板開口を開閉自在な蓋体の開閉機構を有する配線ボックスを提供することが可能である。特に、蓋体の回動軌跡が円弧を描かず、略直角の軌道を描くため、天板内部に蓋体が回動するための空間を要さず、コンパクトな配線ボックスを提供することが可能である。また、蓋体の回動機構がシンプルであり可動機構が少ないため、低コストかつ開閉時の開閉音が小さいといった効果がある。
【００１４】
また、請求項３記載の発明は、請求項１または２の何れかに記載の配線ボックスの取付方法であって、天板の下面における前記開口の周囲に複数の取付孔を設けるとともに前記配線ボックスの周囲に複数の取付金具を設け、かつ、蓋体面から前記取付金具までの高さと天板面と前記取付孔までの高さとが略等しいことにより、配線ボックスを開口の下方から取り付けた際に天板面と蓋体面とが均一面を形成することを特徴とする、配線ボックスの取付方法である。
【００１５】
当該構成によれば、蓋体面から前記取付金具までの高さと天板面と前記取付孔までの高さとを等しく形成する簡単な構成により、配線ボックスの上部周囲にフランジ等の突出部を要さず、天板の下方から簡単に配線ボックスを取り付けることが可能である。特に、厚みの異なる天板を使用した場合であっても、天板の取付孔の深さを、適宜、天板面と取付孔上面との高さとなるように設定する簡単な構成により、配線ボックスの取付金具の高さを変えることなく、天板面と蓋体面とを均一面に取り付けることが可能である。
【００１６】
このように、本発明の配線ボックスおよびその取付方法により、配線ボックスの蓋体と天板面とがフラットな均一面を形成し、かつ、厚みの異なる天板であっても、配線ボックス取付時の位置決めを容易に行うことが可能な配線ボックスおよびその取付方法を提供することが可能である。
【発明を実施するための形態】
【００１７】
（配線ボックスの構成について）
以下に、本発明の配線ボックスの構成について説明する。
まず、本発明の配線ボックス３０が好適に用いられる一例としては、図１に示すように、作業面となる天板１と、当該天板１を支持する複数の脚５とからなるテーブル１０であって、当該テーブル１０は、前記天板１の表面（上面）から裏面（下面）にかけて形成された、図示しない配線用の開口３を開閉可能な蓋体２を有する配線ボックス３０を備える。
【００１８】
特に、当該配線ボックス３０の前記蓋体２は、後述する天板１に形成される開口３のおよそ全域をカバーする構成であって、さらには、蓋体上面２（蓋体面）と天板上面１（天板面）とが連続する平坦面を形成する構成である。これにより、従来、蓋体２と天板１との間の隙間を塞ぐためのフランジ等の部材を必要とせず、蓋体２もしくは天板面１の間に形成される段差をなくすことが可能であり、さらには、蓋体２と開口３との隙間を小とすることが可能である。また、開口３の周囲にフランジ等の中間部材がなく、開口３が蓋体２のみで覆われるため天板面１がフラットであり見た目もよく高い意匠性を奏することが可能である。
【００１９】
次に、本発明の配線ボックス３０における蓋体２は、図２に示すように、天板１の開口を左右の蓋体２で塞ぐ閉口状態（図２（ａ））と、蓋体２を開口３の内部に収納して、天板上に配線用の開口３を形成する開口状態（図２（ｂ））との間で、蓋体２を選択的に可動させる構成である。
【００２０】
特に、本発明の配線ボックス３０は、図２（ａ）に示すように、蓋体２と開口縁４との間に形成される隙間が小さく、かつ、後述する、蓋体面２と天板面１とが平坦面（均一面）を形成しており、テーブル１０の意匠性を向上するのみならず使用性の高いテーブル１０を提供することが可能である。
【００２１】
本発明の配線ボックス３０は、図３に示すように、左右の蓋体２と、当該蓋体２を回動自在に軸支する回転アーム７と、当該回転アーム７を回動自在に軸支する板状のサイドカバー２１と、当該サイドカバー２１を保持する断面コ字状のダクト３２とを有する。前記蓋体２は、その側面後部に外方へと突出するスライドピン９を有する。また、蓋体２の内部には、前記回転アーム７を回動自在に軸支するための、図示しない軸受けを有する。
【００２２】
また、前記ダクト３２は、鋼板等を折り曲げて加工され、左右側面の上端部には、逆Ｌ字状の取付金具３１が上方に突出した状態で溶着されている。当該取付金具３１は、その上端面が平らに形成されており略中央部分にビス孔が形成されている。
【００２３】
そして、前記ダクト３２の前後には、樹脂製の前記サイドカバー２１が、図示しないビス等により固着されており、当該サイドカバー２１には、前記蓋体のスライドピン９が係合するための縦方向のスライド溝２０および前記回転アーム７を回動自在に軸支するための軸孔６’が設けられている。
【００２４】
そして、当該軸孔６’に、前記回転アーム７の一端を軸６により回動自在に軸支するとともに、前記スライド溝２０に前記蓋体２の横方向に突出する前記スライドピン９を係合する構成である。これにより、前記蓋体が回転アームの回転に伴い上下に移動するとともに、蓋体の前記スライドピン９がスライド溝２０に沿って摺動自在に移動する構成である。
【００２５】
すなわち、蓋体２の閉口時には、図４（ａ）に示すように、配線ボックス３０の上部において、左右の蓋体２が平行かつ密接した状態で保持されるとともに、蓋体２の開口時には、図４（ｂ）に示すように、左右の蓋体２がそれぞれ略垂直状態を保持した状態で、配線ボックス３０の内部に収納される構成である。
【００２６】
（配線ボックスの取付方法について）
以下に、本発明の配線ボックス３０を、天板１の下方から取り付ける方法について説明する。
前記天板１は、図５（ａ）（ｂ）に示すように、天板１の略中央に当該天板の表面から裏面にかけて長方形の開口３を有する。そして、天板１の裏面かつ開口３の周囲に凹状の取付孔Ｂが複数形成されており、当該複数の取付孔Ｂは、後述する、当該取付孔Ｂの上面と天板面１との高さ方向の寸法が正確に決めらている。
【００２７】
そして、配線ボックス３０の周囲に形成された複数の取付金具３１を前記取付孔Ｂへと差し込み固定するだけで、配線ボックス３０を天板１の下面へと正確かつ簡単に位置決めを行いつつ取り付けることが可能である。
【００２８】
すなわち、図６（ａ）（ｂ）に示すように、天板面１と取付孔Ｂの上面との距離αは、配線ボックス３０の蓋体面２と、取付金具３１の上面との距離βと同一（α＝β）である。これにより、配線ボックス３０を取り付けた際に、蓋体面２と天板面１とが段差のないフラットな均一面を形成する構成である。また、開口３の幅と蓋体２の幅とが略等しく、天板１の開口縁４と蓋体２との間に隙間γが形成されにくい構成である。
【００２９】
よって、本発明の配線ボックス３０は、図７（ａ）（ｂ）に示すように、配線ボックス３０の蓋体２とテーブルの天板面１とが段差のないフラットな均一面を形成し、かつ、蓋体２と開口縁４との間に隙間が形成されにくい状態で、簡単かつ正確に配線ボックス３０の位置決めと取り付けが可能である。例えば、図示のような、ビス受け９０を天板１の取付孔Ｂの内部に設けることで、配線ボックス３０の取付金具３１を前記取付孔Ｂに挿入した状態で、前記ビス受け９０へと簡単にビス止めすることが可能であり、正確な位置決めをもって配線ボックス３０を固定することが可能である。
【００３０】
また、従来の配線ボックスは、フランジ部分と蓋体の機構とが一体となったユニットを天板の上から落とし込む構造で、配線を受けるダクト部分を天板下側から取り付ける別体の構造だった。これに対して、本発明の配線ボックス３０は、フランジ部分がない構造で、天板１の開口部分が仕上がっている状態であり、配線ボックス３０を天板１の下側から開口３へと挿入し、配線ボックス３０の複数の取付金具３１を天板下面の複数の取付孔Ｂへと挿入し取り付けるだけの簡単な構成である。また、配線を受けるダクト３２が蓋体２と一体となった構造であり、部品点数と取付工数の大幅な削減効果がある。
【００３１】
さらに、従来、天板の下側から取り付ける方式とした時に問題となるのが、厚みの異なる天板１を使用した場合、どのようにして配線ボックスの蓋体２の上面を、天板面１と面一にするかということである。例えば、それぞれの天板厚に対応した調整機構をもった取付け金具にする方法があるが、部品の品揃えやコストの面で大きな問題があった。
【００３２】
そこで、本発明の配線ボックス３０の取り付け方法は、あらかじめ天板厚で考えられる最も薄い厚さを想定し、仮に天板厚が２０ｍｍの厚みとした場合、２０ｍｍの厚さで蓋体と天板とが均一面とになるように取り付く取付金具３１にする。そして、２０ｍｍ以上の厚さの天板１については、天板面から２０ｍｍの厚さを残して、天板の下面に前記取付孔Ｂを形成する簡単な構成により、蓋体面２と天板面１とが面一の状態で配線ボックス３０を簡単に取り付けることが可能である。
【００３３】
（配線ボックスの開閉機構について）
以下に、本発明の配線ボックス３０における蓋体２の開閉機構について説明する。
本発明の配線ボックス３０における蓋体２の動きは、蓋体２が天板１の開口内部において昇降移動するとともに、天板１の開口面で回転することで、天板の開口３を開閉する開閉機構である。
【００３４】
詳しくは、図８に示すように、配線ボックス３０のサイドカバー２１に一端６が回動自在に軸支された回転アーム７の他端８へと、蓋体２の後部を回動自在に軸支するとともに、さらに蓋体２の後部に突出するスライドピン９を、前記サイドカバー２１に形成されたスライド溝２０へと移動自在に連係することで、前記回転アーム７の回動により前記蓋体２が略垂直状態を保持した状態で昇降し、かつ、前記天板１の開口付近で、前記蓋体２が閉口する方向へと回動することにより、蓋体２が前記天板１の開口３を閉口する構成である。
【００３５】
特に、前記蓋体２の後部に設けられたスライドピン９が、配線ボックス３０のサイドカバー２１に形成されたスライド溝２０に係合しつつスライド溝２０に沿って移動することで、蓋体２の後端部分の動きが、回転アーム７の位置によって規制される構成である。
【００３６】
すなわち、前記スライド溝２０は、前記蓋体２の昇降に伴い蓋体２を略垂直状態に保持する縦方向のスライド溝と、天板１の開口面付近において前記蓋体２を回転させる方向に案内する外方向に湾曲するスライド溝とが連続するスライド溝２０である。
【００３７】
これにより、回転アーム７の上昇に伴い、蓋体２の後部の軌跡が、開口内部において縦方向に昇降する軌跡（図中、矢印Ｒ）と、開口面付近において、蓋体２が閉口する方向へと回動（図中、矢印Ｑ）する軌跡との異なる軌跡を描く構成である。
【００３８】
特に、本発明の蓋体２の開閉機構は、蓋体２の描く軌跡が円弧状ではなく、垂直方向と回転方向との組み合わせからなる略直角方向の軌跡であり、これにより、蓋体２の軌跡が、常に開口３の内側に位置するため、蓋体２の後部が、天板１の開口縁４より外方にはみ出すことがない。よって、従来の蓋体の円弧軌道にともなう空間を別途に設ける必要がなく、蓋体２と開口３との間にフランジ等の部材を設ける必要がない。
【００３９】
次に、本発明の配線ボックス３０における、蓋体２の動きについて説明する。
まず、配線ボックス３０の開口状態において、図９に示すように、前記蓋体２は、天板１の開口内部に収納された状態であり、特に、蓋体２が縦方向に保持された状態で収納されるとともに、蓋体２の先端部分のみが、天板１の開口面より僅かに上方へと露出した状態である。
【００４０】
そして、当該蓋体２の収納状態から、前記蓋体２の先端部分を掴み、上方へと引き上げることにより、図１０に示すように、回転アーム７の回動に伴い蓋体２が上昇を開始する。このとき、回転アーム７が軸６を支点に上方へと回動するとともに蓋体２が垂直状態で上昇し、蓋体後部２のスライドピン９がスライド溝２０に沿って摺動する。
このとき、スライド溝２０を摺動する蓋体２のスライドピン９と、蓋体を回転自在に軸支する回転アームの軸８とが、互いに垂直延長線上に位置しており、回転アーム７が回動しても蓋体２が垂直状態を保持したままで上昇する構成である。
【００４１】
そして、さらなる回転アーム７の回動に伴い、図１１に示すように、蓋体２が上方へと上昇するとともに、蓋体２のスライドピン９がスライド溝２０に沿って上昇する。このとき、蓋体２のスライドピン９と、回転アーム７の軸８とが、略垂直状態を保持しており、未だ蓋体２が縦方向に起立した状態を維持しつつ開口内部を上昇する構成である。
【００４２】
そして、さらなる回転アーム７の回動に伴い、図１２に示すように、蓋体が上方へと上昇するとともに、蓋体２のスライドピン９がスライド溝２０に沿って上昇する。このとき、蓋体２のスライドピン９が係合するスライド溝２０の形状が、縦方向の形状から外方向へと湾曲した形状へと変化するとともに、回転アーム７の軸８と、蓋体２のスライドピン９との位置関係が変化を開始することとなる。
【００４３】
すなわち、図１３に示すように、蓋体２の大半部分が開口面より上方に突出した時点で、回転アーム７の上方への回動が最大に達するとともに、蓋体２のスライドピン９が摺動するスライド溝の形状が、外方へと緩やかな円弧を描くスライド溝２０の形状へと変化する。このとき、当該スライド溝２０の形状に沿って蓋体２のスライドピン９が外方へと移動を開始するとともに、当該スライドピン９と回転アームの軸８との位置関係が徐々に垂直から水平方向へと変化することとなる。これにより、蓋体２が回転アーム７の軸８を支点に回動する構成である。
【００４４】
そして、図１４に示すように、円弧状のスライド溝２０に沿って、蓋体２のスライドピン９がさらに外方へと移動するとともに、回転アーム７が僅かに戻り回転をして蓋体２の後部が持ち上がり、蓋体２が閉口方向へと回転する。
【００４５】
そして、左右の蓋体２が互いに水平となる箇所で、図示しないストッパー等の部材が蓋体２のさらなる回転を阻止することで、図１５に示すように、天板面１と蓋体面２とが均一面からなる閉口状態を形成する構成である。
【００４６】
以上のように、本発明の配線ボックス３０は、開口内部において一端が回動自在に軸支された回転アーム７の他端に蓋体２を回動自在に軸支し、回転アーム７の回動により、天板１の開口内部において、蓋体２が略垂直状態を保持した状態で昇降し、かつ、天板１の開口面において、蓋体２の回動により開口１を閉口して、天板面１と蓋体面２とが均一面を形成する構成であり、天板開口の開口時において、簡単な構成により、配線ボックス３０の蓋体２と天板１とがフラットな均一面を形成することが可能な配線ボックス３０を提供することが可能である。
【００４７】
また、前記配線ボックス３０において、蓋体２にスライドピン９を設けるとともに、配線ボックス３０に前記スライドピン９が連係するスライド溝２０を設け、当該スライド溝２０は、前記蓋体２の昇降に伴い前記蓋体２を略垂直状態に保持するスライド溝２０と、開口面１において前記蓋体２を回転させる方向に案内するスライド溝２０とが、連続して形成される溝２０であるから、蓋体２の描く軌跡が円弧状ではなく、垂直方向と回転方向との組み合わせからなる略直角方向の軌跡となり、これにより、蓋体２の軌跡が、常に開口３の内側に位置するため、蓋体２の後部が、天板１の開口縁４より外方にはみ出すことがない。よって、従来の蓋体の円弧軌道にともなう空間を別途に設ける必要がなく、蓋体２と開口３との間にフランジ等の部材を設ける必要がない。
【００４８】
さらに、本発明の配線ボックス３０の取付方法は、天板１の下面における開口３の周囲に複数の取付孔Ｂを設けるとともに、配線ボックス３０の周囲に複数の取付金具３１を設け、かつ、蓋体上面２から取付金具３１までの高さと、天板面１と取付孔Ｂまでの高さと、が略等しいことにより、配線ボックス３０を開口３の下方から取り付けた際に、天板面１と蓋体面２とが均一面を形成する構成である。
【００４９】
よって、配線ボックス３０の上部にフランジ等の突出部材を要さず、天板１の下方から配線ボックス３０を取り付けることが可能であり、厚みの異なる天板１を使用した場合であっても、天板１の取付孔Ｂの深さを、適宜、天板面１と取付孔上面との高さとなるように設定する簡単な構成により、配線ボックス３０の取付金具３１の高さを変えることなく、天板面１と蓋体面２とを均一面に取り付けることが可能である。
【００５０】
上記例では、配線ボックス３０の蓋体２が左右にそれぞれ形成される例を示したが、これに限らず、例えば、１の蓋体であってもよく、上記同様の効果を奏することが可能である。また、左右の蓋体２を同時に可動させる例を示したが、左右の蓋体２は別個に可動させることも可能であり、何れにせよ、本発明は上記の実施形態に限定されるものではなく他の要素を適宜付加してより効果的に具体化できることはいうまでもない。
【図面の簡単な説明】
【００５１】
【図１】本発明の配線ボックスを取り付けた場合の一例を示す図である。（ａ）全体斜視図（ｂ）断面図
【図２】本発明の配線ボックスを取り付けた場合の一例を示す一部拡大図である。（ａ）蓋体の閉口時を示す図である。（ｂ）蓋体の開口時を示す図である。
【図３】配線ボックスの分解図である。
【図４】配線ボックスを示す図である。（ａ）蓋体の閉口時を示す図である。（ｂ）蓋体の開口時を示す図である。
【図５】配線ボックスの取り付けの一例を示す説明図である。（ａ）全体斜視図（ｂ）断面図
【図６】配線ボックスの取り付けの一例を示す説明図である。
【図７】配線ボックスの取り付けの一例を示す説明図である。（ａ）一部拡大図（ｂ）断面図
【図８】本発明の配線ボックスにおける蓋体と回転アームの動きを示す説明図である。
【図９】本発明の配線ボックスにおける蓋体の動きを示す説明図である。
【図１０】本発明の配線ボックスにおける蓋体の動きを示す説明図である。
【図１１】本発明の配線ボックスにおける蓋体の動きを示す説明図である。
【図１２】本発明の配線ボックスにおける蓋体の動きを示す説明図である。
【図１３】本発明の配線ボックスにおける蓋体の動きを示す説明図である。
【図１４】本発明の配線ボックスにおける蓋体の動きを示す説明図である。
【図１５】本発明の配線ボックスにおける蓋体の動きを示す説明図である。
【符号の説明】
【００５２】
１  天板
２  蓋体
３  開口
４  開口縁
５  脚
６  軸
７  回転アーム
８  軸
９  スライドピン
１０  テーブル
２０  スライド溝
２１  サイドカバー
３０  配線ボックス
３１  取付金具
３２  ダクト
Ｂ  取付孔
【図１】
0005771415.tif 000002
【図２】
0005771415.tif 000003
【図３】
0005771415.tif 000004
【図４】
0005771415.tif 000005
【図５】
0005771415.tif 000006
【図６】
0005771415.tif 000007
【図７】
0005771415.tif 000008
【図８】
0005771415.tif 000009
【図９】
0005771415.tif 000010
【図１０】
0005771415.tif 000011
【図１１】
0005771415.tif 000012
【図１２】
0005771415.tif 000013
【図１３】
0005771415.tif 000014
【図１４】
0005771415.tif 000015
【図１５】
0005771415.tif 000016